(57)【要約】【課題】安価な構成で、浴槽に配設された風呂循環配管に流れる湯水の流量を正確に測定する。【解決手段】この流量測定方法は、風呂循環配管（ｈ２５＋ｈ１７＋ｈ２６）内の湯水を吐水するポンプＰ４と、前記風呂循環配管に流れる湯水の流量が第１流量Ｑ１になるとオンし、前記第１流量よりも小さい第２流量Ｑ２になるとオフする水流スイッチＷ１と、前記ポンプの回転速度と吐水量との対応関係を規定した第１ポンプ特性Ｒ１において前記第１流量に対応する前記回転速度Ｘを求め、その回転速度Ｘと、前記水流スイッチのオン時に検出される前記回転速度Ｙとの比（Ｘ／Ｙ）を求め、その比に基づき前記第１ポンプ特性を補正して、前記第１ポンプ特性から第２ポンプ特性を導出し、前記第２ポンプ特性に基づき、前記ポンプの回転速度から前記風呂循環配管に流れる湯水の流量を測定する。【選択図】図３
2010243010.tif 000002
【特許請求の範囲】
【請求項１】
浴槽（９）に配設された風呂循環配管（ｈ２５＋ｈ１７＋ｈ２６）と、
自身に入力する入力値または自身から出力する出力値である第１の値に応じた吐水量で前記風呂循環配管内の湯水を吐水するポンプ（Ｐ４）と、
前記ポンプの前記第１の値を制御して前記ポンプの吐水量を制御する制御部と、
前記風呂循環配管に流れる湯水が第１流量（Ｑ１）になるとオンになり、前記第１流量よりも小さい第２流量（Ｑ２）になるとオフになる水流スイッチ（ＳＷ１）と、
を備える給湯装置において前記風呂循環配管内の湯水の流量を測定する流量測定方法であって、
前記風呂循環配管の配管圧力損失とは異なる一定の圧力損失下における前記吐水量と前記第１の値との対応関係を規定した第１ポンプ特性（Ｒ１）が既知であり、
（ａ）前記制御部の制御により前記第１の値を増加させて行くことで、前記ポンプの吐水量を増加させて行き、前記水流スイッチのオン時の前記第１の値（Ｙ）を所定の記憶部に記憶し、
（ｂ）前記第１ポンプ特性において前記第１流量に対応する前記第１の値（Ｘ）を、前記記憶部に記憶した前記第１の値で除算した比（Ｘ／Ｙ）を求め、
（ｃ）前記比に基づき前記第１ポンプ特性の前記第１の値を補正することで、前記第１ポンプ特性から第２ポンプ特性（Ｒ２）を導出し、
（ｄ）前記第２ポンプ特性に基づき、前記制御部により制御された前記第１の値から前記風呂循環配管内の湯水の流量を測定する流量測定方法。
【請求項２】
浴槽（９）に配設された風呂循環配管（ｈ２５＋ｈ１７＋ｈ２６）と、
自身に入力する入力値または自身から出力する出力値である第１の値に応じた吐水量で前記風呂循環配管内の湯水を吐水するポンプ（Ｐ４）と、
前記ポンプの前記第１の値を制御して前記ポンプの吐水量を制御する制御部と、
前記風呂循環配管に流れる湯水が第１流量（Ｑ１）になるとオンになり、前記第１流量よりも小さい第２流量（Ｑ２）になるとオフになる水流スイッチ（ＳＷ１）と、
を備える給湯装置において前記風呂循環配管内の湯水の流量を測定する流量測定方法であって、
前記風呂循環配管の配管圧力損失とは異なる一定の圧力損失下における前記吐水量と前記第１の値との対応関係を規定した第１ポンプ特性（Ｒ１）が既知であり、
（ａ）前記制御部の制御により前記第１の値を低下させて行くことで、前記ポンプの吐水量を低下させて行き、前記水流スイッチのオフ時の前記第１の値（ｙ）を所定の記憶部に記憶し、
（ｂ）前記第１ポンプ特性（Ｒ１）において前記第２流量に対応する前記第１の値（ｘ）を、前記記憶部に記憶した前記第１の値で除算した比（ｘ／ｙ）を求め、
（ｃ）前記比に基づき前記第１ポンプ特性の前記第１の値を補正することで、前記第１ポンプ特性から第２ポンプ特性（Ｒ２）を導出し、
（ｄ）前記第２ポンプ特性に基づき、前記制御部により制御された前記第１の値から前記風呂循環配管内の湯水の流量を測定する流量測定方法。
【請求項３】
浴槽（９）に配設された風呂循環配管（ｈ２５＋ｈ１７＋ｈ２６）と、
自身に入力する入力値または自身から出力する出力値である第１の値に応じた吐水量で前記風呂循環配管内の湯水を吐出するポンプ（Ｐ４）と、
前記ポンプの前記第１の値を制御して前記ポンプの吐水量を制御する制御部と、
前記風呂循環配管に流れる湯水が第１流量（Ｑ１）になるとオンになり、前記第１流量よりも小さい第２流量（Ｑ２）になるとオフになる水流スイッチ（ＳＷ１）と、
を備える給湯装置において前記風呂循環配管内の湯水の流量を測定する流量測定方法であって、
前記風呂循環配管の配管圧力損失とは異なる一定の圧力損失下における前記吐水量と前記第１の値との対応関係を規定した第１ポンプ特性（Ｒ１）が既知であり、
（ａ）前記制御部の制御により前記第１の値を増加させて行くことで、前記ポンプの吐水量を増加させて行き、前記水流スイッチのオン時の前記第１の値（Ｙ）を所定の記憶部に記憶し、且つ前記制御部の制御により前記第１の値を低下させて行くことで、前記ポンプの吐水量を低下させて行き、前記水流スイッチのオフ時の前記第１の値（ｙ）を所定の記憶部に記憶し、
（ｂ）前記第１ポンプ特性（Ｒ１）において前記第１流量に対応する前記第１の値（Ｘ）を、前記記憶部に記憶した前記オン時の前記第１の値で除算した第１の比（Ｘ／Ｙ）を求め、前記第１ポンプ特性において前記第２流量に対応する前記第１の値（ｘ）を、前記記憶部に記憶した前記オフ時の前記第１の値で除算した第２の比（ｘ／ｙ）を求め、前記第１および第２比の平均値を求め、
（ｃ）前記平均値に基づき前記第１ポンプ特性の前記第１の値を補正することで、前記第１ポンプ特性から第２ポンプ特性（Ｒ２）を導出し、
（ｄ）前記第２ポンプ特性に基づき、前記制御部により制御された前記第１の値から前記風呂循環配管内の湯水の流量を測定する流量測定方法。
【請求項４】
浴槽（９）に配設された風呂循環配管（ｈ２５＋ｈ１７＋ｈ２６）と、
自身に入力する入力値または自身から出力する出力値である第１の値に応じた吐水量で前記風呂循環配管内の湯水を吐出するポンプ（Ｐ４）と、
前記ポンプの前記第１の値を制御して前記ポンプの吐水量を制御する制御部と、
前記風呂循環配管に流れる湯水が第１流量（Ｑ１）になるとオンになり、前記第１流量よりも小さい第２流量（Ｑ２）になるとオフになる水流スイッチ（ＳＷ１）と、
を備える給湯装置において前記風呂循環配管内の湯水の流量を測定する流量測定方法であって、
前記風呂循環配管の配管圧力損失とは異なる一定の圧力損失下における前記吐水量と前記第１の値との対応関係を規定した第１ポンプ特性（Ｒ１）が既知であり、
（ａ）前記制御部の制御により前記第１の値を増加させて行くことで、前記ポンプの吐水量を増加させて行き、前記水流スイッチのオン時の前記第１の値（Ｙ）を所定の記憶部に記憶し、
（ｂ）前記第１ポンプ特性（Ｒ１）において前記オン時の前記第１の値に対応する第３流量（Ｑ３）を求め、前記第１流量を前記第３流量で除算した比（Ｑ１／Ｑ３）を求め、
（ｃ）前記比に基づき前記第１ポンプ特性を補正することで、前記第１ポンプ特性から第２ポンプ特性（Ｒ２）を導出し、
（ｄ）前記第２ポンプ特性に基づき、前記制御部により制御された前記第１の値から前記風呂循環配管内の湯水の流量を測定する流量測定方法。
【請求項５】
浴槽（９）に配設された風呂循環配管（ｈ２５＋ｈ１７＋ｈ２６）と、
自身に入力する入力値または自身から出力する出力値である第１の値に応じた吐水量で前記風呂循環配管内の湯水を吐出するポンプ（Ｐ４）と、
前記ポンプの前記第１の値を制御して前記ポンプの吐水量を制御する制御部と、
前記風呂循環配管に流れる湯水が第１流量（Ｑ１）になるとオンになり、前記第１流量よりも小さい第２流量（Ｑ２）になるとオフになる水流スイッチ（ＳＷ１）と、
を備える給湯装置において前記風呂循環配管内の湯水の流量を測定する流量測定方法であって、
前記風呂循環配管の配管圧力損失とは異なる一定の圧力損失下における前記吐水量と前記入力値との対応関係を規定した第１ポンプ特性（Ｒ１）が既知であり、
（ａ）前記制御部の制御により前記第１の値を低下させて行くことで、前記ポンプの吐水量を低下させて行き、前記水流スイッチのオフ時の前記第１の値（ｙ）を所定の記憶部に記憶し、
（ｂ）前記第１ポンプ特性（Ｒ１）において前記オフ時の前記第１の値に対応する第４流量（Ｑ４）を求め、前記第２流量を前記第４流量で除算した比（Ｑ２／Ｑ４）を求め、
（ｃ）前記比に基づき前記第１ポンプ特性を補正することで、前記第１ポンプ特性から第２ポンプ特性（Ｒ２）を導出し、
（ｄ）前記第２ポンプ特性に基づき、前記制御部によって制御された前記第１の値から前記風呂循環配管内の湯水の流量を測定する流量測定方法。
【請求項６】
浴槽（９）に配設された風呂循環配管（ｈ２５＋ｈ１７＋ｈ２６）と、
自身に入力する入力値または自身から出力する出力値である第１の値に応じた吐水量で前記風呂循環配管内の湯水を吐出するポンプ（Ｐ４）と、
前記ポンプの前記第１の値を制御して前記ポンプの吐水量を制御する制御部と、
前記風呂循環配管に流れる湯水が第１流量（Ｑ１）になるとオンになり、前記第１流量よりも小さい第２流量（Ｑ２）になるとオフになる水流スイッチ（ＳＷ１）と、
を備える給湯装置において前記風呂循環配管内の湯水の流量を測定する流量測定方法であって、
前記風呂循環配管の配管圧力損失とは異なる一定の圧力損失下における前記吐水量と前記第１の値との対応関係を規定した第１ポンプ特性（Ｒ１）が既知であり、
（ａ）前記制御部の制御により前記第１の値を増加させて行くことで、前記ポンプの吐水量を増加させて行き、前記水流スイッチのオン時の前記第１の値（Ｙ）を所定の記憶部に記憶し、且つ前記制御部の制御により前記第１の値を低下させて行くことで、前記ポンプの吐水量を低下させて行き、前記水流スイッチのオフ時の前記第１の値（ｙ）を所定の記憶部に記憶し、
（ｂ）前記第１ポンプ特性（Ｒ１）において前記オン時の前記第１の値に対応する第３流量（Ｑ３）を求め、前記第１流量を前記第３流量で除算した第１の比（Ｑ１／Ｑ３）を求め、且つ前記第１ポンプ特性において前記オフ時の前記第１の値に対応する第４流量（Ｑ４）を求め、前記第２流量を前記第４流量で除算した第２の比（Ｑ２／Ｑ４）を求め、前記第１の比と前記第２の比との平均値を求め、
（ｃ）前記平均値に基づき前記第１ポンプ特性を補正することで、前記第１ポンプ特性から第２ポンプ特性（Ｒ２）を導出し、
（ｄ）前記第２ポンプ特性に基づき、前記制御部により制御された前記第１の値から前記配風呂循環配管内の湯水の流量を測定する流量測定方法。
【請求項７】
請求項１〜６の何れかに記載の流量測定方法であって、
前記第１ポンプ特性は、前記第１の値と前記吐水量との対応関係を規定した演算式であることを特徴とする流量測定方法。
【請求項８】
請求項１〜６の何れかに記載の流量測定方法であって、
前記第１ポンプ特性は、前記第１の値と前記吐水量との対応関係を規定したテーブルデータであることを特徴とする流量測定方法。
【発明の詳細な説明】
【技術分野】
【０００１】
本発明は、浴槽に設けられた風呂循環配管（例えば、風呂追い焚き機能を有する給湯装置において浴槽内の湯水を追焚用熱交換器内に循環させる配管）に流れる湯水の流量を測定するのに適した流量測定方法に関する。
【背景技術】
【０００２】
風呂追い焚き機能を有する給湯装置は、貯湯タンクと、シャワーまたは蛇口などの給湯部と、前記貯湯タンクと前記給湯部とを繋ぐ給湯配管とを備えるほかに、追焚用熱交換器と、前記貯湯タンクからの高温の湯を前記追焚用熱交換器に循環させる第１循環配管と、浴槽内の湯水を前記追焚用熱交換器内に循環させる第２循環配管とを備える。
【０００３】
この様な給湯装置では、従来、前記第２循環配管に流れる湯水の流量を測定する場合は、前記給湯配管で使用される水流センサと同種のものを使用して、前記第２循環配管に流れる湯水の流量を検出していた。従来は、水流スイッチを使用してある流量以上の流量検出を行い、ある一定流量以上が流れていることを検知することまでに留まっていた。
【０００４】
しかし、前記第２循環配管には浴槽内の湯水が流れるので、前記水流センサでは、浴槽内の湯水に含まれるゴミ（例えば髪の毛など）が引っ掛かり、前記第２循環配管に流れる湯水を正確に測定できないという問題点があった。しかし、ふろの循環流量の流れる流量によって追焚用熱交換器の効率が変化することにより、快適な追い焚き（早い、又は、安い）が検討されている。
【０００５】
この問題点を解決する技術として、特許文献１の給湯装置が提案されている。この給湯装置は、特許文献１の図１の様に、追焚用熱交換器２７と、加熱手段２で加熱した湯を追焚用熱交換器２７に循環させる第１循環配管（３，１９からなる配管）と、浴槽３１内の湯水を追焚用熱交換器２７に循環させる第２循環配管２８とを備える。そしてこの給湯装置は、第２循環配管２８に流れる湯水の流量を測定するために、更に、前記第１循環配管の配管３部分に配設された熱交出口サーミスタ３４と、前記第１循環配管の配管１９部分に配設された循環戻りサーミスタ３５および循環流量センサ３６と、第２循環配管２８に配設された風呂戻りサーミスタ３２および風呂往きサーミスタ３３とを備える。
【０００６】
即ちこの給湯装置では、熱交出口サーミスタ３４、循環戻りサーミスタ３５および循環流量センサ３６の各々の検出結果に基づき、追焚用熱交換器２７において第１循環配管（３，１９からなる配管）内の湯水から第２循環配管２８内の湯水に与えられた熱量を求め、その熱量と、風呂戻りサーミスタ３２の検出温度と風呂往きサーミスタ３３の検出温度との温度差とから、第２循環配管２８に流れる湯水の流量を求めている。
【先行技術文献】
【特許文献】
【０００７】
【特許文献１】特開２００７−２７８６７４号公報
【発明の概要】
【発明が解決しようとする課題】
【０００８】
しかし特許文献１では、各サーミスタ３２〜３５および循環流量センサ３６など多数のセンサを用いて、第２循環配管２８に流れる湯水の流量を測定するので、製造コストが掛かるという問題点と、熱交出口サーミスタ３４、循環戻りサーミスタ３５および循環流量センサ３６の各々の検出結果に基づき、追焚用熱交換器２７において第１循環配管（３，１９からなる配管）内の湯水から第２循環配管２８内の湯水に与えられた熱量は、放熱が含まれており、これは機内温度により放熱量が変化する問題点とがある。
【０００９】
この発明の課題は、上記のような問題点を解決するためになされたものであり、安価な構成、且つ、熱量の影響を受けない構成で浴槽に設けられた風呂循環配管に流れる湯水の流量を正確に測定できる流量測定方法を提供することにある。
【課題を解決するための手段】
【００１０】
上記課題を解決する為に、本発明の第１の態様は、浴槽（９）に配設された風呂循環配管（ｈ２５＋ｈ１７＋ｈ２６）と、自身に入力する入力値または自身から出力する出力値である第１の値に応じた吐水量で前記風呂循環配管内の湯水を吐水するポンプ（Ｐ４）と、前記ポンプの前記第１の値を制御して前記ポンプの吐水量を制御する制御部と、前記風呂循環配管に流れる湯水が第１流量（Ｑ１）になるとオンになり、前記第１流量よりも小さい第２流量（Ｑ２）になるとオフになる水流スイッチ（ＳＷ１）と、を備える給湯装置において前記風呂循環配管内の湯水の流量を測定する流量測定方法であって、前記風呂循環配管の配管圧力損失とは異なる一定の圧力損失下における前記吐水量と前記第１の値との対応関係を規定した第１ポンプ特性（Ｒ１）が既知であり、（ａ）前記制御部の制御により前記第１の値を増加させて行くことで、前記ポンプの吐水量を増加させて行き、前記水流スイッチのオン時の前記第１の値（Ｙ）を所定の記憶部に記憶し、（ｂ）前記第１ポンプ特性において前記第１流量に対応する前記第１の値（Ｘ）を、前記記憶部に記憶した前記第１の値で除算した比（Ｘ／Ｙ）を求め、（ｃ）前記比に基づき前記第１ポンプ特性の前記第１の値を補正することで、前記第１ポンプ特性から第２ポンプ特性（Ｒ２）を導出し、（ｄ）前記第２ポンプ特性に基づき、前記制御部により制御された前記第１の値から前記風呂循環配管内の湯水の流量を測定するものである。
【００１１】
本発明の第２の態様は、浴槽（９）に配設された風呂循環配管（ｈ２５＋ｈ１７＋ｈ２６）と、自身に入力する入力値または自身から出力する出力値である第１の値に応じた吐水量で前記風呂循環配管内の湯水を吐水するポンプ（Ｐ４）と、前記ポンプの前記第１の値を制御して前記ポンプの吐水量を制御する制御部と、前記風呂循環配管に流れる湯水が第１流量（Ｑ１）になるとオンになり、前記第１流量よりも小さい第２流量（Ｑ２）になるとオフになる水流スイッチ（ＳＷ１）と、を備える給湯装置において前記風呂循環配管内の湯水の流量を測定する流量測定方法であって、前記風呂循環配管の配管圧力損失とは異なる一定の圧力損失下における前記吐水量と前記第１の値との対応関係を規定した第１ポンプ特性（Ｒ１）が既知であり、（ａ）前記制御部の制御により前記第１の値を低下させて行くことで、前記ポンプの吐水量を低下させて行き、前記水流スイッチのオフ時の前記第１の値（ｙ）を所定の記憶部に記憶し、（ｂ）前記第１ポンプ特性（Ｒ１）において前記第２流量に対応する前記第１の値（ｘ）を、前記記憶部に記憶した前記第１の値で除算した比（ｘ／ｙ）を求め、（ｃ）前記比に基づき前記第１ポンプ特性の前記第１の値を補正することで、前記第１ポンプ特性から第２ポンプ特性（Ｒ２）を導出し、（ｄ）前記第２ポンプ特性に基づき、前記制御部により制御された前記第１の値から前記風呂循環配管内の湯水の流量を測定するものである。
【００１２】
本発明の第３の態様は、浴槽（９）に配設された風呂循環配管（ｈ２５＋ｈ１７＋ｈ２６）と、自身に入力する入力値または自身から出力する出力値である第１の値に応じた吐水量で前記風呂循環配管内の湯水を吐出するポンプ（Ｐ４）と、前記ポンプの前記第１の値を制御して前記ポンプの吐水量を制御する制御部と、前記風呂循環配管に流れる湯水が第１流量（Ｑ１）になるとオンになり、前記第１流量よりも小さい第２流量（Ｑ２）になるとオフになる水流スイッチ（ＳＷ１）と、を備える給湯装置において前記風呂循環配管内の湯水の流量を測定する流量測定方法であって、前記風呂循環配管の配管圧力損失とは異なる一定の圧力損失下における前記吐水量と前記第１の値との対応関係を規定した第１ポンプ特性（Ｒ１）が既知であり、（ａ）前記制御部の制御により前記第１の値を増加させて行くことで、前記ポンプの吐水量を増加させて行き、前記水流スイッチのオン時の前記第１の値（Ｙ）を所定の記憶部に記憶し、且つ前記制御部の制御により前記第１の値を低下させて行くことで、前記ポンプの吐水量を低下させて行き、前記水流スイッチのオフ時の前記第１の値（ｙ）を所定の記憶部に記憶し、（ｂ）前記第１ポンプ特性（Ｒ１）において前記第１流量に対応する前記第１の値（Ｘ）を、前記記憶部に記憶した前記オン時の前記第１の値で除算した第１の比（Ｘ／Ｙ）を求め、前記第１ポンプ特性において前記第２流量に対応する前記第１の値（ｘ）を、前記記憶部に記憶した前記オフ時の前記第１の値で除算した第２の比（ｘ／ｙ）を求め、前記第１および第２比の平均値を求め、（ｃ）前記平均値に基づき前記第１ポンプ特性の前記第１の値を補正することで、前記第１ポンプ特性から第２ポンプ特性（Ｒ２）を導出し、（ｄ）前記第２ポンプ特性に基づき、前記制御部により制御された前記第１の値から前記風呂循環配管内の湯水の流量を測定するものである。
【００１３】
本発明の第４の態様は、浴槽（９）に配設された風呂循環配管（ｈ２５＋ｈ１７＋ｈ２６）と、自身に入力する入力値または自身から出力する出力値である第１の値に応じた吐水量で前記風呂循環配管内の湯水を吐出するポンプ（Ｐ４）と、前記ポンプの前記第１の値を制御して前記ポンプの吐水量を制御する制御部と、前記風呂循環配管に流れる湯水が第１流量（Ｑ１）になるとオンになり、前記第１流量よりも小さい第２流量（Ｑ２）になるとオフになる水流スイッチ（ＳＷ１）と、を備える給湯装置において前記風呂循環配管内の湯水の流量を測定する流量測定方法であって、前記風呂循環配管の配管圧力損失とは異なる一定の圧力損失下における前記吐水量と前記第１の値との対応関係を規定した第１ポンプ特性（Ｒ１）が既知であり、（ａ）前記制御部の制御により前記第１の値を増加させて行くことで、前記ポンプの吐水量を増加させて行き、前記水流スイッチのオン時の前記第１の値（Ｙ）を所定の記憶部に記憶し、（ｂ）前記第１ポンプ特性（Ｒ１）において前記オン時の前記第１の値に対応する第３流量（Ｑ３）を求め、前記第１流量を前記第３流量で除算した比（Ｑ１／Ｑ３）を求め、（ｃ）前記比に基づき前記第１ポンプ特性を補正することで、前記第１ポンプ特性から第２ポンプ特性（Ｒ２）を導出し、（ｄ）前記第２ポンプ特性に基づき、前記制御部により制御された前記第１の値から前記風呂循環配管内の湯水の流量を測定するものである。
【００１４】
本発明の第５の態様は、浴槽（９）に配設された風呂循環配管（ｈ２５＋ｈ１７＋ｈ２６）と、自身に入力する入力値または自身から出力する出力値である第１の値に応じた吐水量で前記風呂循環配管内の湯水を吐出するポンプ（Ｐ４）と、前記ポンプの前記第１の値を制御して前記ポンプの吐水量を制御する制御部と、前記風呂循環配管に流れる湯水が第１流量（Ｑ１）になるとオンになり、前記第１流量よりも小さい第２流量（Ｑ２）になるとオフになる水流スイッチ（ＳＷ１）と、を備える給湯装置において前記風呂循環配管内の湯水の流量を測定する流量測定方法であって、前記風呂循環配管の配管圧力損失とは異なる一定の圧力損失下における前記吐水量と前記入力値との対応関係を規定した第１ポンプ特性（Ｒ１）が既知であり、（ａ）前記制御部の制御により前記第１の値を低下させて行くことで、前記ポンプの吐水量を低下させて行き、前記水流スイッチのオフ時の前記第１の値（ｙ）を所定の記憶部に記憶し、（ｂ）前記第１ポンプ特性（Ｒ１）において前記オフ時の前記第１の値に対応する第４流量（Ｑ４）を求め、前記第２流量を前記第４流量で除算した比（Ｑ２／Ｑ４）を求め、（ｃ）前記比に基づき前記第１ポンプ特性を補正することで、前記第１ポンプ特性から第２ポンプ特性（Ｒ２）を導出し、（ｄ）前記第２ポンプ特性に基づき、前記制御部によって制御された前記第１の値から前記風呂循環配管内の湯水の流量を測定するものである。
【００１５】
本発明の第６の態様は、浴槽（９）に配設された風呂循環配管（ｈ２５＋ｈ１７＋ｈ２６）と、自身に入力する入力値または自身から出力する出力値である第１の値に応じた吐水量で前記風呂循環配管内の湯水を吐出するポンプ（Ｐ４）と、前記ポンプの前記第１の値を制御して前記ポンプの吐水量を制御する制御部と、前記風呂循環配管に流れる湯水が第１流量（Ｑ１）になるとオンになり、前記第１流量よりも小さい第２流量（Ｑ２）になるとオフになる水流スイッチ（ＳＷ１）と、を備える給湯装置において前記風呂循環配管内の湯水の流量を測定する流量測定方法であって、前記風呂循環配管の配管圧力損失とは異なる一定の圧力損失下における前記吐水量と前記第１の値との対応関係を規定した第１ポンプ特性（Ｒ１）が既知であり、（ａ）前記制御部の制御により前記第１の値を増加させて行くことで、前記ポンプの吐水量を増加させて行き、前記水流スイッチのオン時の前記第１の値（Ｙ）を所定の記憶部に記憶し、且つ前記制御部の制御により前記第１の値を低下させて行くことで、前記ポンプの吐水量を低下させて行き、前記水流スイッチのオフ時の前記第１の値（ｙ）を所定の記憶部に記憶し、（ｂ）前記第１ポンプ特性（Ｒ１）において前記オン時の前記第１の値に対応する第３流量（Ｑ３）を求め、前記第１流量を前記第３流量で除算した第１の比（Ｑ１／Ｑ３）を求め、且つ前記第１ポンプ特性において前記オフ時の前記第１の値に対応する第４流量（Ｑ４）を求め、前記第２流量を前記第４流量で除算した第２の比（Ｑ２／Ｑ４）を求め、前記第１の比と前記第２の比との平均値を求め、（ｃ）前記平均値に基づき前記第１ポンプ特性を補正することで、前記第１ポンプ特性から第２ポンプ特性（Ｒ２）を導出し、（ｄ）前記第２ポンプ特性に基づき、前記制御部により制御された前記第１の値から前記配風呂循環配管内の湯水の流量を測定するものである。
【００１６】
本発明の第７の態様は、第１〜６の態様の何れかに記載の流量測定方法であって、前記第１ポンプ特性は、前記第１の値と前記吐水量との対応関係を規定した演算式であるものである。
【００１７】
本発明の第８の態様は、第１〜６の何れか何れかに記載の流量測定方法であって、前記第１ポンプ特性は、前記第１の値と前記吐水量との対応関係を規定したテーブルデータであるものである。
【発明の効果】
【００１８】
本発明の第１の態様によれば、第１ポンプ特性（Ｒ１）を使用し、且つ水流スイッチ（ＳＷ１）のオン時に検出される回転速度（Ｙ）と、第１ポンプ特性において第１流量（Ｑ１）に対応する回転速度（Ｘ）とから求まる比（Ｘ／Ｙ）に基づき、第１ポンプ特性中の回転速度を補正することで、第１ポンプ特性から、風呂循環配管（ｈ２５＋ｈ１７＋ｈ２６）の配管圧力損失を考慮した第２ポンプ特性（Ｒ２）を導出し、その第２ポンプ特性を用いて風呂循環配管に流れる流量を測定するので、風呂循環配管に流れる流量を精度良く測定できる。またポンプ（Ｐ４）および水流スイッチを主な構成要素とし、高価なセンサを用いないので、安価な構成で測定できる。
【００１９】
本発明の第２の態様によれば、第１ポンプ特性（Ｒ１）を使用し、且つ水流スイッチ（ＳＷ１）のオフ時に検出される回転速度（ｙ）と、第１ポンプ特性において第２流量（Ｑ２）に対応する回転速度（ｘ）とから求まる比（ｘ／ｙ）に基づき、第１ポンプ特性中の回転速度を補正することで、第１ポンプ特性から、風呂循環配管（ｈ２５＋ｈ１７＋ｈ２６）の配管圧力損失を考慮した第２ポンプ特性（Ｒ２）を導出し、その第２ポンプ特性を用いて風呂循環配管に流れる流量を測定するので、風呂循環配管に流れる流量を精度良く測定できる。またポンプ（Ｐ４）および水流スイッチを主な構成要素とし、高価なセンサを用いないので、安価な構成で測定できる。
【００２０】
本発明の第３の態様によれば、比（Ｘ／Ｙ）と比（ｘ／ｙ）との平均値を求め、この平均値に基づき第１ポンプ特性（Ｒ１）中の回転速度を補正するので、水流スイッチ（ＳＷ１）がオンするタイミングの遅れによる測定誤差と、水流スイッチがオフするタイミングの遅れによる測定誤差とを相殺でき、より一層、精度良く測定できる。またポンプ（Ｐ４）および水流スイッチＳＷ１を主な構成要素とし、高価なセンサを用いないので、安価な構成で測定できる。
【００２１】
本発明の第４の態様によれば、第１ポンプ特性（Ｒ１）を使用し、且つ第１ポンプ特性においてオン時に検出される回転速度（Ｙ）に対応する第３流量（Ｑ３）と、第１流量（Ｑ１）とから求まる比（Ｑ１／Ｑ３）に基づき第１ポンプ特性を補正することで、第１ポンプ特性から、風呂循環配管（ｈ２５＋ｈ１７＋ｈ２６）の配管圧力損失を考慮した第２ポンプ特性（Ｒ２）を導出し、その第２ポンプ特性を用いて風呂循環配管に流れる流量を測定するので、風呂循環配管に流れる流量を精度良く測定できる。またポンプ（Ｐ４）および水流スイッチを主な構成要素とし、高価なセンサを用いないので、安価な構成で測定できる。
【００２２】
本発明の第５の態様によれば、第１ポンプ特性（Ｒ１）を使用し、且つ第１ポンプ特性においてオフ時に検出される回転速度（ｙ）に対応する第４流量（Ｑ４）と、第２流量（Ｑ２）とから求まる比（Ｑ２／Ｑ４）に基づき第１ポンプ特性を補正することで、第１ポンプ特性から、風呂循環配管（ｈ２５＋ｈ１７＋ｈ２６）の配管圧力損失を考慮した第２ポンプ特性（Ｒ２）を導出し、その第２ポンプ特性を用いて風呂循環配管に流れる流量を測定するので、風呂循環配管に流れる流量を精度良く測定できる。またポンプ（Ｐ４）および水流スイッチＳＷ１を主な構成要素とし、高価なセンサを用いないので、安価な構成で測定できる。
【００２３】
本発明の第６の態様によれば、比（Ｑ１／Ｑ３）と比（Ｑ２／Ｑ４）との平均値を求め、この平均値に基づき第１ポンプ特性（Ｒ１）を補正するので、水流スイッチ（ＳＷ１）がオンするタイミングの遅れによる測定誤差と、水流スイッチがオフするタイミングの遅れによる測定誤差とを相殺でき、より一層、精度良く測定できる。またポンプ（Ｐ４）および水流スイッチを主な構成要素とし、高価なセンサを用いないので、安価な構成で測定できる。
【００２４】
本発明の第７の態様によれば、第１ポンプ特性（Ｒ１）は演算式で規定されるので（従って第２ポンプ特性（Ｒ２）も演算式で規定されるので）ポンプ（Ｐ４）の回転速度に応じて、精度良く、風呂循環配管に流れる湯水の流量を測定できる。
【００２５】
本発明の第８の態様によれば、第１ポンプ特性（Ｒ１）はテーブルデータで規定されるので、ポンプ（Ｐ４）の回転速度から風呂循環配管（ｈ２５＋ｈ１７＋ｈ２６）に流れる湯水の流量を求める際の演算処理を簡素化でき、処理負担を軽減できる。
【図面の簡単な説明】
【００２６】
【図１】第１実施形態に係る貯湯式給湯装置１の構成の一例図である。
【図２】第１実施形態に係る貯湯式給湯装置１の制御装置１５０の構成概略図である。
【図３】第１実施形態に係る貯湯式給湯装置１で用いられる第１ポンプ特性Ｒ１と第２ポンプ特性Ｒ２の一例を示した図である。
【図４】第１実施形態に係る貯湯式給湯装置１における式２の設定を行う動作を説明する図である。
【図５】第２実施形態に係る貯湯式給湯装置における式２ａの設定を行う動作を説明する図である。
【図６】第２実施形態に係る貯湯式給湯装置における式３の設定を行う動作を説明するフローチャートである。
【図７】第４実施形態に係る貯湯式給湯装置で用いられる第１ポンプ特性Ｒ１と第２ポンプ特性Ｒ２の一例図である。
【図８】第４実施形態に係る貯湯式給湯装置における式４の設定を行う動作を説明する図である。
【図９】第５実施形態に係る貯湯式給湯装置における式４ａの設定を行う動作を説明する図である。
【図１０】第６実施形態に係る貯湯式給湯装置における式５の設定を行う動作を説明する図である。
【図１１】第７実施形態に係る貯湯式給湯装置における第１ポンプ特性Ｒ１を規定したテーブルデータの一例を示した図である。
【発明を実施するための形態】
【００２７】
＜第１実施形態＞
≪全体構成≫
図１および図２に基づき、本発明に係る流量測定方法を実行する流量測定装置を備えた貯湯式給湯装置１の構成を説明する。図１において配管のそばに配置された矢印は湯水の進行方向を示す。また本発明及び実施の形態との直接的な関連が薄いので排水系統の構成については省略した。
【００２８】
貯湯式給湯装置１は、ヒートポンプユニット（加熱手段）３により沸き上げられた湯を貯湯タンク５に貯湯し、利用者の操作に応じて、その貯湯した湯を、浴槽９に出湯しまたは浴槽９以外の給湯部（例えば蛇口またはシャワー）７から出湯し、またはその貯湯した湯を用いて浴槽９内の湯水を追い焚きする。
【００２９】
ヒートポンプユニット３と貯湯タンク５とは配管ｈ４によって接続される。貯湯タンク５の下部の水はポンプＰ１によってヒートポンプユニット３に運ばれ、ここで加熱されて湯となった後に、貯湯タンク５の上部に運ばれる。なお、ここでは省略されたがヒートポンプユニット３による加熱が不十分なときに貯湯タンク５の下部の水をヒートポンプユニット３との間で循環させる配管を設けてもよい。貯湯タンク５には複数のサーミスタＴｈ１〜Ｔｈ６が貯湯タンク５の高さが異なる位置に設けられている。
【００３０】
給水管ｈ２０には外部から水が供給され、ストレーナＳ１、逆止弁Ｂ６、減圧弁Ｂ７が設けられる。これらの機能は周知であるので詳細は省略する。給水管ｈ２０は分岐点Ｎ１において第１給水管ｈ１と第２給水管ｈ２とに分岐する。第１給水管ｈ１は貯湯タンク５に給水する。配管ｈ１５は分岐点Ｎ４で第２給水管ｈ２から分岐する。第１給水管ｈ１及び第２給水管にはそれぞれ逆止弁Ｂ１，Ｂ８が設けられ、第１給水管ｈ１には水温を測定するサーミスタＴｈ７が設けられる。
【００３１】
貯湯タンク５の上部にある出湯口５ｅには第１出湯配管ｈ１０が設けられ、第１出湯配管ｈ１０から得られた湯は第２給水管ｈ２から得られた水と給湯混合弁Ｂ４で混合される。給湯混合弁Ｂ４で混合された湯水は給湯配管ｈ１１を介して給湯部７へと供給される。第１出湯配管ｈ１０には逆止弁Ｂ５が設けられる。給湯配管ｈ１１には給湯水量及び給湯温度をそれぞれ測定するセンサＷ２と、サーミスタＴｈ９が設けられる。
【００３２】
この貯湯式給湯装置１は、第１追焚循環配管ｈ２５と、第２追焚循環配管ｈ２１と、追焚熱交換器２５とを備えている。第１追焚循環配管ｈ２５は、その一端口である風呂循環往き口２３が配管ｈ１７を介して浴槽９の給湯口９ｂに接続され、その他端口である風呂循環戻り口２７が配管ｈ２６を介して浴槽に追焚用吸水口９ａに接続され、その一部分が追焚熱交換器２５内に引き込まれている。第２追焚循環配管ｈ２１は、その一端口が貯湯タンク５の出湯口５ｆに接続され、その他端口が貯湯タンク５の追焚循環戻り口５ｇに接続され、その一部分が追焚熱交換器２５内に引き込まれている。追焚熱交換器２５内では、第１追焚循環配管ｈ２５と第２追焚循環配管ｈ２１との間で熱交換可能になっている。
【００３３】
第１追焚循環配管ｈ２５には、風呂循環ポンプＰ４と、風呂サーミスタＴｈ１０と、水流スイッチＳＷ１と、水位センサＹとが配設されている。
【００３４】
風呂循環ポンプＰ４は、浴槽９内の湯水を風呂循環戻り口２７から取り込んで第１追焚循環配管ｈ２５を通じて追焚熱交換器２５内を循環させて風呂循環往き口２３から浴槽９内に戻すためのものである。風呂循環ポンプＰ４は、その回転速度に応じた吐水量で風呂循環配管ｈ２５等内の湯水を吐水する。風呂サーミスタＴｈ１０は、第１追焚循環配管ｈ２５を流れる湯水の温度を検出する。水流スイッチＳＷ１は、第１追焚循環配管ｈ２５を流れる湯水の流量が、第１流量よりも小さい値から増加して第１流量になるとオンし、また第２流量よりも大きい値から低下して第２流量になるとオフする。尚、第２流量は第１流量よりも低い値である。水位センサＹは、浴槽９内の水位が浴槽９の追焚用吸水口９ａよりも高いか否かを検出するものであり、例えば、所定水圧以上の水圧を検出すると、浴槽９内の水位が追焚用吸水口９ａよりも高い事を検出するものである。これら各要素Ｐ４，Ｔｈ１０，ＳＷ１，Ｙは、例えば、第１追焚循環配管ｈ２５における追焚熱交換器２５と風呂循環戻り口２７との間に配設されている。
【００３５】
第２追焚循環配管ｈ２１には、熱交換循環ポンプＰ３が配設されている。この熱交換循環ポンプＰ３は、貯湯タンク５内の湯を、貯湯タンク５の出湯口５ｇから出湯させ、第２追焚循環配管ｈ２１を通じて追焚熱交換器２５内を循環させ、貯湯タンク５の追焚循環戻り口５ｇから貯湯タンク５内に戻すためのものである。
【００３６】
第２追焚循環配管ｈ２１には追焚熱交換器２５よりも貯湯タンク５側に逆止弁Ｂ１０が設けられる。第２追焚循環配管ｈ２１には逆止弁Ｂ１０と追焚熱交換器２５との間で分岐点Ｎ８が設けられ、分岐点Ｎ８から第２出湯配管ｈ１４が分岐して設けられる。配管ｈ１５から得られた水と第２出湯配管ｈ１４から得られた湯とは湯張り混合弁Ｂ１１で混合され、第２出湯配管ｈ１６へと流れる。第２出湯配管ｈ１６は分岐点Ｎ１４において第１追焚循環配管ｈ２５から分岐して設けられている。第２出湯配管ｈ１６は浴槽９に湯張りするときに第２追焚循環配管ｈ２１へと湯を流す機能を担う。第２出湯配管ｈ１６には分岐点Ｎ１４と湯張り混合弁Ｂ１１との間に複合水弁２５及びサーミスタＴｈ８が設けられる。
【００３７】
複合水弁２５は流量を調整する電磁弁Ｂ１２、湯量を測定するセンサＷ１、逆止弁Ｂ１４を有している。これらの機能については周知であるので、詳細な説明を省略する。
【００３８】
またこの貯湯式給湯装置１は、図２の様に、制御装置１５０と、リモコン装置（設定入力手段）１６０とを備えている。制御装置１５０は、各サーミスタＴｈ１〜Ｔｈ１０および各水量センサＷ１，Ｗ２の検出結果に基づき、各弁Ｂ３，Ｂ４，Ｂ１１，Ｂ１２、ヒートポンプユニット３および各循環ポンプＰ１，Ｐ３，Ｐ４を制御するものである。またリモコン装置１６０は、利用者の操作を受け付けるものである。
【００３９】
この実施形態の流量測定装置は、所定の配管（ここでは各配管ｈ２５，ｈ１６ａ，ｈ１７，ｈ２６からなり、浴槽９に配設された風呂循環配管、以下、風呂循環配管ｈ２５等と呼ぶ）に流れる湯水の流量を、所定の配管に配設された風呂循環ポンプＰ４および水流スイッチＳＷ１を利用して測定する。
【００４０】
制御装置１５０は、記憶部１５０ａと、補正部１５０ｂと、測定部１５０ｃと、制御部１５０ｄとを備えている。
【００４１】
記憶部１５０ａには、下記の式１および式２の演算式が記憶されている。式１および式２は共に、測定対象となる所定の配管（ここでは風呂循環配管ｈ２５等）に配設された風呂循環ポンプＰ４から出力される出力値（ここでは風呂循環ポンプＰ４の回転速度）と風呂循環ポンプＰ４の吐水量との対応関係を規定した第１ポンプ特性を規定した演算式である。式１は、風呂循環配管ｈ２５等の配管圧力損失とは異なる一定の圧力損失下で得られた場合の演算式であり、例えば風呂循環ポンプＰ４の仕様として既知である。あるいは式１の演算式ｈは、予め風呂循環配管ｈ２５等とは異なる配管に風呂循環ポンプＰ４を設けて測定を行って求めておく。式２は、風呂循環配管ｈ２５等に配設されたの配管圧力損失を考慮した場合の演算式である。式２を用いることで、風呂循環ポンプＰ４の回転速度から、風呂循環配管ｈ２５等に流れる湯水の正確な流量が測定される。
【００４２】
【数１】
2010243010.tif 000003
【００４３】
尚、式１および式２中のＡ，Ｂは、仕様として、あるいは上記「一定の圧力損失下」における吐水量と回転速度の測定結果量とから予め求められた所定の定数である。また式２中のＸは、式１において、水流スイッチＳＷ１がオンする流量（既知）を吐水量として用いて式１から求められる風呂循環ポンプＰ４の回転速度である。また式２中のＹは、水流スイッチＳＷ１のオン時に検出される風呂循環配管ｈ２５等に配設された風呂循環ポンプＰ４の回転速度である。
【００４４】
図３の様に、式２（即ち第２ポンプ特性Ｒ１）は、式１（即ち第１ポンプ特性Ｒ２）において第１流量（水流スイッチＳＷ１がオンする流量）Ｑ１に対応する回転速度Ｘを求め、その求めた回転速度Ｘを、回転速度Ｙで除算してそれらの比（Ｘ／Ｙ）を求め、その比を式１中の回転速度に掛けることで、式１から導出される。
【００４５】
補正部１５０ｂは、式１において、第１流量Ｑ１から回転速度Ｘを求めて記憶部１５０ａに記憶する。尚、このＸの値は、補正部１５０ｂに求めさせる代わりに、式１と第１流量Ｑ１とから予め計算して記憶部１５０ａに初期設定しておき、その初期設定したＸの値を使用しても良い。また補正部１５０ｂは、回転速度Ｙを検出し、その回転速度Ｙを記憶部１５０ａに記憶する。そして補正部１５０ｂは、それらＸ，Ｙを式２のＸ，Ｙに代入する（即ち、ＸをＹで除算してそれらの比（Ｘ／Ｙ）を求め、その比を式１中の回転速度に掛けて、式１から式２を導出する）。
【００４６】
尚、風呂循環ポンプＰ４の回転速度は、風呂循環ポンプＰ４がその回転速度を出力する機能を有する場合は、その出力される回転速度を使用すれば良く、また風呂循環ポンプＰ４がその回転速度を出力する機能を有さない場合は、補正部１５０ｂにより、風呂循環ポンプＰ４に入力される電流または電圧、または風呂循環ポンプＰ４から出力される電流または電圧から風呂循環ポンプＰ４の回転速度を検出し、その回転速度を使用すれば良い。
【００４７】
測定部１５０ｃは、例えば追い焚きの際に、風呂循環ポンプＰ４の回転速度を検出し、式２においてその検出した回転速度に対応する風呂循環ポンプＰ４の吐水量を求め、その求めた吐水量を、風呂循環配管ｈ２５等に流れる湯水の流量と見なすことで、風呂循環配管ｈ２５等に流れる湯水の流量を測定する。
【００４８】
制御部１５０ｄは、補正部１５０ｂにおいて式２で使用する回転速度Ｙを検出させるために、風呂循環ポンプＰ４を制御して、風呂循環ポンプＰ４の回転速度を、例えば、ゼロから最大値まで変化させ、更に引き続き最大値からゼロまで変化させる。
【００４９】
また制御部１５０ｄは、例えばリモコン装置１６０への入力操作に基づきヒートポンプユニット３および循環ポンプＰ１を起動させると共に三方弁Ｂ３を制御して、貯湯タンク５内の水の沸き上げを行う。また制御部１５０ｄは、リモコン装置１６０への入力操作に基づき、給湯混合弁Ｂ４を制御して給湯部７から出湯する湯の温度を調整する。また制御部１５０ｄは、リモコン装置１６０への入力操作に基づき、湯張り混合弁Ｂ１１を制御して浴槽９に出湯する湯の温度を調整すると共に、湯張り電磁弁Ｂ１２を制御して浴槽９への出湯を制御する。また制御部１５０ｄは、リモコン装置１６０への入力操作に基づき、循環ポンプＰ３，Ｐ４を起動させて浴槽９内の湯水の追い焚きを行う。
【００５０】
尚この実施形態では、風呂循環ポンプＰ４、水流スイッチＳＷ１、記憶部１５０ａ、補正部１５０ｂ、測定部１５０ｃおよび制御部１５０ｄにより流量測定装置が構成されている。
【００５１】
≪動作≫
流量測定装置において式２の設定を行わせる場合は、図４の様に動作する。即ち、ステップＳ１で、浴槽９内に湯水が張られた状態で、リモコン装置１６０に風呂循環開始の指示が入力される。これにより、制御部１５０ｄにより風呂循環ポンプＰ４が起動される。
【００５２】
そしてステップＳ２で、制御部１５０ｄにより、風呂循環ポンプＰ４の回転速度が、例えば、ゼロから最大値に向けてまで増加される。当該最大値は、第１流量Ｑ１よりも大きく設定される。これにより風呂循環ポンプＰ４の吐水量が、第１流量Ｑ１よりも小さい値から第１流量Ｑ１よりも大きい値まで変化する。
【００５３】
そしてステップＳ３で、風呂循環配管ｈ２５等に流れる湯水の流量が第１流量Ｑ１以上になり、水流スイッチＳＷ１がオンになると、ステップＳ４で、そのオン時の風呂循環ポンプＰ４の回転速度Ｙが補正部１５０ｂにより検出されて記憶部１５０ａに記憶される。風呂循環ポンプＰ４の回転速度の最大値を第１流量Ｑ１よりも大きく設定することにより、当該回転速度が最大値に到達する迄に、必ずステップＳ４が実行されることになる。
【００５４】
そしてステップＳ５で、風呂循環ポンプＰ４の回転速度が最大値に達すると、ステップＳ６で、制御部１５０ｄにより、風呂循環ポンプＰ４の回転速度が最大値からゼロまで低下される。あるいはステップＳ５を省略してもよい。風呂循環ポンプＰ４の回転速度がその最大値に達しなくても、ステップＳ４が実行されればこの後のステップの実行を担保できるからである。この場合、ステップＳ６は「風呂循環ポンプＰ４の回転速度をゼロまで低下させる」と読み替えればよい。
【００５５】
そしてステップＳ７で、補正部１５０ｂにより、ステップＳ４で記憶部１５０ａに記憶された回転速度Ｙと、予め式１と第１流量Ｑ１とから求められて記憶部１５０ａに記憶された回転速度Ｘとが式２のＸ，Ｙに代入されて、式２の設定が行われる。これにより、測定部１５０ｃにおいて、式２に基づき、制御部１５０ｄにより制御される風呂循環ポンプＰ４の回転速度から風呂循環配管ｈ２５等に流れる湯水の流量が測定可能になる。
【００５６】
尚、この式２の設定は、貯湯式給湯装置１が設置された際の風呂循環の試運転を利用して行われても良い。
【００５７】
また浴槽９内の湯水の追い焚きを行う場合は、リモコン装置１６０に入力された追焚開始の指示に応じて、制御部１５０ｄの制御により、各循環ポンプＰ３，Ｐ４が起動される。これにより、貯湯タンク５内の湯は、各部５→５ｆ→ｈ２１→５ｇを経て追焚用熱交換器２５と貯湯タンク５との間を循環する。そして浴槽９内の湯水は、各部９→ｈ２６→ｈ２５→ｈ１７→９を経て追焚熱交換器２５と浴槽９との間を循環する。そして追焚用熱交換器２５内で、貯湯タンク５からの湯と浴槽９からの湯水との間で熱交換が行われて、浴槽９内の湯水が追い焚きされる。
【００５８】
その際、測定部１５０ｃにより、風呂循環ポンプＰ４の回転速度が検出定され、その検出された回転速度に基づき風呂循環配管ｈ２５等に流れる湯水の流量が測定される。そして制御部１５０ｄにより、測定部１５０ｃの測定結果に基づき、例えば、風呂循環配管ｈ２５等に流れる湯水の流量が所定の流量に保たれる様に、風呂循環ポンプＰ４の回転速度が制御される。そして制御部１５０ｄにより、風呂サーミスタＴｈ１０の検出温度に基づき、浴槽９からの湯水の温度がリモコン装置１６０に設定された追焚温度になった事が検知されると、制御部１５０ｄの制御により、各循環ポンプＰ３，Ｐ４が停止されて追い焚きが終了する。
【００５９】
以上に説明した流量測定方法によれば、式１（即ち第１ポンプ特性Ｒ１）を使用し、且つ水流スイッチＳＷ１のオン時に検出される回転速度Ｙと、式１において第１流量Ｑ１に対応する回転速度Ｘとから求まる比（Ｘ／Ｙ）に基づき、式１中の回転速度を補正することで、式１から、所定の配管（例えば風呂循環配管ｈ２５等）の配管圧力損失を考慮した式２（即ち第２ポンプ特性Ｒ２）を導出し、その式２を用いて前記所定の配管に流れる流量を測定するので、前記所定の配管に流れる流量を精度良く測定できる。また風呂循環ポンプＰ４および水流スイッチＳＷ１を主な構成要素とし、高価なセンサを用いないので、安価な構成で測定できる。
【００６０】
特にこの実施形態の様に、風呂循環配管ｈ２５等に流れる湯水の流量を測定する場合は、風呂循環配管ｈ２５等（より詳細には第１追焚循環配管ｈ２５）に予め配設されている風呂循環ポンプＰ４および水流スイッチＳＷ１を利用できるので、更に安価に測定できる。
【００６１】
また第１ポンプ特性Ｒ１は演算式（即ち式１）で規定されるので（従って第２ポンプ特性Ｒ２も演算式（即ち式２）で規定されるので）、風呂循環ポンプＰ４の回転速度に応じて、精度良く、風呂循環配管ｈ２５等に流れる湯水の流量を測定できる。
【００６２】
尚、この実施形態では、風呂循環配管ｈ２５等に流れる湯水の流量を測定する場合で説明したが、他の配管に流れる湯水の流量を測定しても構わない。
【００６３】
尚、この実施形態では、風呂循環ポンプＰ４から出力される出力値（第１の値）として風呂循環ポンプＰ４の回転速度を用いたが、それ以外の出力値として、風呂循環ポンプＰ４から出力される駆動用電流の電流値などを用いても良い。また風呂循環ポンプＰ４から出力される出力値の代わりに、風呂循環ポンプＰ４に入力する入力値（例えば駆動用電流の電流値など）を用いても良い。
【００６４】
＜第２実施形態＞
第１実施形態では、Ｘ，Ｙを用いて式１を式２の様に補正したが、この実施形態では、図３を参照して、Ｘ，Ｙの代わりにｘ，ｙを用いて式１を式２ａの様に補正する。即ち、この実施形態の補正部１５０ｂは、式１における吐水量として水流スイッチＳＷ１がオフする第２流量Ｑ２（既知）を用いて風呂循環ポンプＰ４の回転速度ｘを求め、その回転速度ｘを水流スイッチＳＷ１のオフ時に検出される第１追焚循環配管ｈ２５に配設された風呂循環ポンプＰ４の回転速度ｙで除算してそれらの比（ｘ／ｙ）を求め、その比を式１中の回転速度に掛けて、式１を式２ａ（即ち第２ポンプ特性Ｒ２）の様に補正する。
【００６５】
【数２】
2010243010.tif 000004
【００６６】
この場合の流量測定装置において式２ａの設定を行わせる場合は、図５の様に動作する。即ち、ステップＵ１で、浴槽９内に湯水が張られた状態で、リモコン装置１６０に風呂循環開始の指示が入力される。これにより、制御部１５０ｄにより風呂循環ポンプＰ４が起動される。
【００６７】
そしてステップＵ２で、制御部１５０ｄにより、風呂循環ポンプＰ４の回転速度が、例えば、ゼロから最大値まで増加される。当該最大値は第２流量Ｑ２よりも大きく設定される。これにより、風呂循環ポンプＰ４の吐水量が第２流量Ｑ２よりも大きい値まで増加する。
【００６８】
そしてステップＵ３で、風呂循環ポンプＰ４の回転速度が最大値に達すると、ステップＵ４で、制御部１５０ｄにより、風呂循環ポンプＰ４の回転速度が最大値からゼロまで低下される。これにより、風呂循環ポンプＰ４の吐水量が第２流量Ｑ２よりも大きい値から第２流量Ｑ２よりも小さい値まで変化する。
【００６９】
そしてステップＵ５で、風呂循環配管ｈ２５等に流れる湯水の流量が第２流量Ｑ２以下になり、水流スイッチＳＷ１がオフになると、ステップＵ６で、そのオフ時の風呂循環ポンプＰ４の回転速度ｙが補正部１５０ｂにより検出されて記憶部１５０ａに記憶される。
【００７０】
そしてステップＵ７で、補正部１５０ｂにより、ステップＵ６で記憶部１５０ａに記憶された回転速度ｙと、予め式１と第２流量Ｑ２とから求められて記憶部１５０ａに記憶された回転速度ｘとが式２ａのｘ，ｙに代入されて、式２ａの設定が行われる。これにより、測定部１５０ｃにおいて、式２ａに基づき、制御部１５０ｄにより制御される風呂循環ポンプＰ４の回転速度から風呂循環配管ｈ２５等に流れる湯水の流量が測定可能になる。
【００７１】
尚、この実施形態の流量測定装置および貯湯式給湯装置は、第１実施形態の流量測定装置および貯湯式給湯装置１において、上記の動作が異なる以外は同様に構成される。
【００７２】
以上に説明した流量測定方法によれば、式１（即ち第１ポンプ特性Ｒ１）を使用し、且つ水流スイッチＳＷ１のオフ時に検出される回転速度ｙと、式１において第２流量Ｑ２に対応する回転速度ｘとから求まる比（ｘ／ｙ）に基づき、式１中の回転速度を補正することで、式１から、所定の配管（例えば風呂循環配管ｈ２５等）の配管圧力損失を考慮した式２（即ち第２ポンプ特性Ｒ２）を導出し、その式２を用いて前記所定の配管に流れる流量を測定するので、前記所定の配管に流れる流量を精度良く測定できる。また風呂循環ポンプＰ４および水流スイッチＳＷ１を主な構成要素とし、高価なセンサを用いないので、安価な構成で測定できる。
【００７３】
＜第３実施形態＞
この実施形態は、第１実施形態において、Ｘ／Ｙとｘ／ｙの各比の平均値に基づき式１を補正する様にしたものである。
【００７４】
即ちこの実施形態の補正部１５０ｂは、回転速度Ｘ，ｘを求め、回転速度Ｙ，ｙも用いて比（Ｘ／Ｙ，ｘ／ｙ）を求める。そして補正部１５０ｂは、それら各比の平均値（（Ｘ／Ｙ＋ｘ／ｙ）／２）を求め、当該その平均値を式１中の回転速度に掛けて、式１を式３の様に補正する。
【００７５】
【数３】
2010243010.tif 000005
【００７６】
この場合の流量測定装置において式３の設定を行わせる場合は、図６の様に動作する。ステップＶ１Ｖ３，〜Ｖ４７は、図４のＳ３１〜，Ｓ４７と同じであるので説明は省略し、Ｖ１，Ｖ２，Ｖ５〜Ｖ８は、図５のＵ１〜Ｕ６と同じなので説明を省略する。そしてステップＶ９で、補正部１５０ｂにより、ステップＶ４，Ｖ８で記憶部１５０ａに記憶された回転速度Ｙ，ｙと、予め式１と各流量Ｑ１，Ｑ２とから求められて記憶部１５０ａに記憶された回転速度Ｘ，ｘとが式３のＸ，ｘ，Ｙ，ｙに代入されて、式３の設定が行われる。これにより、測定部１５０ｃにおいて、式３に基づき、制御部１５０ｄにより制御される風呂循環ポンプＰ４の回転速度から風呂循環配管ｈ２５等に流れる湯水の流量が測定可能になる。
【００７７】
尚、この実施形態の流量測定装置および貯湯式給湯装置は、第１実施形態の流量測定装置および貯湯式給湯装置１において、上記の動作が異なる以外は同様に構成される。
【００７８】
以上に説明した流量測定方法によれば、比（Ｘ／Ｙ）と比（ｘ／ｙ）との平均値を求め、この平均値に基づき式１（即ち第１ポンプ特性Ｒ１）中の回転速度を補正するので、水流スイッチＳＷ１がオンするタイミングの遅れによる測定誤差（即ちポンプＰ４の吐水量の測定値が増大側にずれる誤差）と、水流スイッチＳＷ１がオフするタイミングの遅れによる測定誤差（即ち前記吐水量の測定値が減少側にずれる誤差）とを相殺でき、第１および第２実施形態の場合よりも、より一層、精度良く測定できる。また風呂循環ポンプＰ４および水流スイッチＳＷ１を主な構成要素とし、高価なセンサを用いないので、安価な構成で測定できる。
【００７９】
＜第４実施形態＞
この実施形態では、第１実施形態での式１の補正の仕方の変形例を説明する。
【００８０】
この実施形態の補正部１５０ｂは、図７を参照して、式１（即ち第１ポンプ特性Ｒ１）における回転速度として回転速度Ｙを用いて風呂循環ポンプＰ４の吐水量（第３流量）Ｑ３を求め、水流スイッチＳＷ１がオンする第１流量Ｑ１を吐水量Ｑ３で除算してそれらの比（Ｑ１／Ｑ３）を求め、その比に基づき式１を式４（即ち第２ポンプ特性Ｒ２）の様に補正する。
【００８１】
【数４】
2010243010.tif 000006
【００８２】
次に図８に基づき、この実施形態の流量測定装置において式４の設定を行う動作を説明する。図８のステップＴ１〜Ｔ６はそれぞれ、図４のステップＳ１〜Ｓ６と同じなので説明は省略する。そしてステップＴ７で、補正部１５０ｂにより、式１において、ステップＴ４で記憶部１５０ａに記憶された回転速度Ｙに対応する風呂循環ポンプＰ４の吐水量Ｑ３が求められる。そして補正部１５０ｂにより、その吐水量Ｑ３および流スイッチＳＷ１がオンする第１流量Ｑ１が式４のＱ１，Ｑ３に代入されて、式４の設定が行われる（尚、式４に代入される第１流量Ｑ１の値は、記憶部１５０ａに予め記憶されている）。これにより、測定部１５０ｃにおいて、式４に基づき、制御部１５０ｄより制御される風呂循環ポンプＰ４の回転速度から風呂循環配管ｈ２５等に流れる湯水の流量が測定可能になる。
【００８３】
尚、この実施形態の流量測定装置および貯湯式給湯装置は、第１実施形態の流量測定装置および貯湯式給湯装置１において、上記の動作が異なる以外は同様に構成される。
【００８４】
以上に説明した流量測定方法によれば、式１（即ち第１ポンプ特性Ｒ１）を使用し、且つ式１においてオン時に検出される回転速度Ｙに対応する吐水量（第３流量）Ｑ３と、第１流量Ｑ１とから求まる比（Ｑ１／Ｑ３）に基づき式１を補正することで、式１から、所定の配管（例えば風呂循環配管ｈ２５等）の配管圧力損失を考慮した式２（即ち第２ポンプ特性Ｒ２）を導出し、その式２を用いて前記所定の配管に流れる流量を測定するので、前記所定の配管に流れる流量を精度良く測定できる。また風呂循環ポンプＰ４および水流スイッチＳＷ１を主な構成要素とし、高価なセンサを用いないので、安価な構成で測定できる。
【００８５】
＜第５実施形態＞
第４実施形態では、第１流量Ｑ１および吐水量Ｑ３を用いて式１を式４の様に補正したが、この実施形態では、図７を参照して、第１流量Ｑ１および吐水量Ｑ３の代わりに第２流量Ｑ２および吐水量（第４流量）Ｑ４を用いて、式１を式４ａの様に補正する。即ち、この実施形態の補正部１５０ｂは、式１（即ち第１ポンプ特性Ｒ１）において、水流スイッチＳＷ１のオフ時に検出される風呂循環ポンプＰ４の回転速度ｙに対応する風呂循環ポンプＰ４の吐水量Ｑ４を求め、水流スイッチＳＷ１がオフする第２流量Ｑ２を吐水量Ｑ４で除算してそれらの比（Ｑ２／Ｑ４）を求め、その比に基づき式１を式４ａの様に補正する。
【００８６】
【数５】
2010243010.tif 000007
【００８７】
次に図９に基づき、この実施形態の流量測定装置において式４ａの設定を行う動作を説明する。図９のステップＷ１〜Ｗ６はそれぞれ、図５のステップＵ１〜Ｕ６と同じなので説明は省略する。そしてステップＷ７で、補正部１５０ｂにより、式１において、ステップＷ６で記憶部１５０ａに記憶された回転速度ｙに対応する風呂循環ポンプＰ４の吐水量Ｑ４が求められる。そして補正部１５０ｂにより、その吐水量Ｑ４および流スイッチＳＷ１がオフする第２流量Ｑ２が式４ａのＱ２，Ｑ４に代入されて、式４ａの設定が行われる（尚、式４ａに代入される第２流量Ｑ２の値は、記憶部１５０ａに予め記憶されている）。これにより、測定部１５０ｃにおいて、式４ａに基づき、制御部１５０ｄにより制御される風呂循環ポンプＰ４の回転速度から風呂循環配管ｈ２５等に流れる湯水の流量が測定可能になる。
【００８８】
尚、この実施形態の流量測定装置および貯湯式給湯装置は、第１実施形態の流量測定装置および貯湯式給湯装置１において、上記の動作が異なる以外は同様に構成される。
【００８９】
以上に説明した流量測定方法によれば、式１（即ち第１ポンプ特性Ｒ１）を使用し、且つ式１においてオフ時に検出される回転速度ｙに対応する吐水量（第４流量）Ｑ４と、第２流量Ｑ２とから求まる比（Ｑ２／Ｑ４）に基づき式１を補正することで、式１から、所定の配管（例えば風呂循環配管ｈ２５等）の配管圧力損失を考慮した式４ａ（即ち第２ポンプ特性Ｒ２）を導出し、その式４ａを用いて前記所定の配管に流れる流量を測定するので、前記所定の配管に流れる流量を精度良く測定できる。また風呂循環ポンプＰ４および水流スイッチＳＷ１を主な構成要素とし、高価なセンサを用いないので、安価な構成で測定できる。
【００９０】
＜第６実施形態＞
この実施形態は、第４実施形態において、Ｑ１／Ｑ３とＱ２／Ｑ４との各比の平均値に基づき式１を補正する様にしたものである。
【００９１】
即ちこの実施形態の補正部１５０ｂは、図７を参照して、式１（即ち対応関係Ｒ１）において、水流スイッチＳＷ１のオン時に検出される風呂循環ポンプＰ４の回転速度Ｙに対応する風呂循環ポンプＰ４の吐水量（第３流量）Ｑ３を求め、水流スイッチＳＷ１がオンする第１流量Ｑ１を吐水量Ｑ３で除算してそれらの比（Ｑ１／Ｑ３）を求める。また補正部１５０ｂは、式１において、水流スイッチＳＷ１のオフ時に検出される風呂循環ポンプＰ４の回転速度ｙに対応する風呂循環ポンプＰ４の吐水量（第４流量）Ｑ４を求め、水流スイッチＳＷ１がオフする第２流量Ｑ２を吐水量Ｑ４で除算してそれらの比（Ｑ２／Ｑ４）を求める。そして補正部１５０ｂは、それら各比の平均値（（Ｑ１／Ｑ３＋Ｑ２／Ｑ４）／２）を求め、その平均値に基づき式１を式５の様に補正する。
【００９２】
【数６】
2010243010.tif 000008
【００９３】
次に図１０に基づき、この実施形態の流量測定装置において式５の設定を行う動作を説明する。図１０のステップＺ１〜Ｚ８はそれぞれ、図６のステップＶ１〜Ｖ８と同じなので説明は省略する。そしてステップＺ９で、補正部１５０ｂにより、式１において、ステップＺ４で記憶部１５０ａに記憶された回転速度Ｙ，ｙに対応する風呂循環ポンプＰ４の吐水量Ｑ３，Ｑ４が求められる。そして補正部１５０ｂにより、それら各吐水量Ｑ３，Ｑ４と、流スイッチＳＷ１がオンする第１流量Ｑ１およびオフする第２流量Ｑ２とが式４ａのＱ１〜Ｑ４に代入されて、式５の設定が行われる（尚、式５に代入される第１流量Ｑ１および第２流量Ｑ２の値は、記憶部１５０ａに予め記憶されている）。これにより、測定部１５０ｃにおいて、式５に基づき、制御部１５０ｄにより制御される風呂循環ポンプＰ４の回転速度から風呂循環配管ｈ２５等に流れる湯水の流量が測定可能になる。
【００９４】
尚、この実施形態の流量測定装置および貯湯式給湯装置は、第１実施形態の流量測定装置および貯湯式給湯装置１において、上記の動作が異なる以外は同様に構成される。
【００９５】
以上に説明した流量測定方法によれば、比（Ｑ１／Ｑ３）と比（Ｑ２／Ｑ４）との平均値を求め、この平均値に基づき式１（即ち第１ポンプ特性Ｒ１）を補正するので、水流スイッチＳＷ１がオンするタイミングの遅れによる測定誤差（即ちポンプＰ４の吐水量の測定値が増大側にずれる誤差）と、水流スイッチＳＷ１がオフするタイミングの遅れによる測定誤差（即ち前記吐水量の測定値が減少側にずれる誤差）とを相殺でき、第４および第５実施形態の場合よりも、より精度良く測定できる。また風呂循環ポンプＰ４および水流スイッチＳＷ１を主な構成要素とし、高価なセンサを用いないので、安価な構成で測定できる。
【００９６】
＜第７実施形態＞
第１実施形態では、第１ポンプ特性Ｒ１を式１の演算式により規定したが、この実施形態は、第１ポンプ特性Ｒ１をテーブルデータにより規定したものである。
【００９７】
図１１は、上記のテーブルデータの一例を示したものである。図１１では、例えば、風呂循環ポンプＰ４の回転速度が１５００のとき、風呂循環ポンプＰ４の吐水量が３．０となり、風呂循環ポンプＰ４の回転速度が２０００のとき、風呂循環ポンプＰ４の吐水量が５．０となり、風呂循環ポンプＰ４の回転速度が３０００のとき、風呂循環ポンプＰ４の吐水量が８．０となっている。図１１では、回転速度の値は３つのみ記載されるが、実際は、より多くの値が設定される。
【００９８】
そしてこの実施形態の補正部１５０ｂは、第１ポンプ特性Ｒ１を規定するテーブルデーブルに基づき、第１流量Ｑ１に対応する風呂循環ポンプＰ４の回転速度Ｘを求める。その際、補正部１５０ｂは、第１流量Ｑ１と同じ値が上記のデータデーブルの吐水量の各値の中に無い場合は、当該テーブルデータから直線近似で、第１流量Ｑ１に対応する風呂循環ポンプＰ４の回転速度Ｘを求める。尚、記憶部１５０ａに、第１流量Ｑ１に対応する回転速度Ｘを予め記憶しておき、その回転速度Ｘの値を使用しても良い。
【００９９】
また補正部１５０ｂは、水流スイッチＳＷ１のオン時に検出される第１追焚循環配管ｈ２５に配設された風呂循環ポンプＰ４の回転速度Ｙを測定し、回転速度Ｘを回転速度Ｙで除算してそれらの比（Ｘ／Ｙ）を求め、その比を上記のテーブルデータの回転速度の各値に掛けて、上記のテーブルデータを補正する。これにより、第１ポンプ特性Ｒ１を規定する当該データテールは、風呂循環配管ｈ２５等の配管圧力損失を考慮した第２ポンプ特性Ｒ２を規定するテーブルデータに補正される。
これにより、測定部１５０ｃにおいて、上記の補正されたターンテーブルに基づき、制御部１５０ｄにより制御される風呂循環ポンプＰ４の回転速度から風呂循環配管ｈ２５等に流れる湯水の流量が測定可能になる。その際、測定部１５０ｃは、測定した回転速度の値が上記の補正したデータデーブルの回転速度の各値の中に無い場合は、上記の補正したテーブルデータから直線近似で、測定した回転速度に対応する風呂循環ポンプＰ４の吐水量を求める。
【０１００】
以上に説明した流量測定方法によれば、第１ポンプ特性Ｒ１はテーブルデータで規定されるので、風呂循環ポンプＰ４の回転速度から所定の配管（ここでは風呂循環配管ｈ２５等）に流れる湯水の流量を求める際の演算処理を簡素化でき、処理負担を軽減できる。
【０１０１】
尚この実施形態では、第１実施形態を例に挙げて説明したが、第２〜第６実施形態に適用しても良い。
【符号の説明】
【０１０２】
１  貯湯式給湯装置
１５０  制御装置
１５０ａ  記憶部
１５０ｂ  補正部
１５０ｃ  測定部
１５０ｄ  制御部
Ｑ１  第１流量
Ｑ２  第２流量
Ｑ３  式１において水流スイッチＳＷ１のオン時の回転速度に対応する吐水量
Ｑ４  式１において水流スイッチＳＷ１のオフ時の回転速度に対応する吐水量
Ｒ１  第１ポンプ特性
Ｒ２  第２ポンプ特性
Ｘ  式１において第１流量Ｑ１に対応する回転速度
ｘ  式１において第２流量Ｑ２に対応する回転速度
Ｙ  水流スイッチＳＷ１のオン時の回転速度
ｙ  水流スイッチＳＷ１のオフ時の回転速度
【図１】
2010243010.tif 000009
【図２】
2010243010.tif 000010
【図３】
2010243010.tif 000011
【図４】
2010243010.tif 000012
【図５】
2010243010.tif 000013
【図６】
2010243010.tif 000014
【図７】
2010243010.tif 000015
【図８】
2010243010.tif 000016
【図９】
2010243010.tif 000017
【図１０】
2010243010.tif 000018
【図１１】
2010243010.tif 000019